(57)【要約】【課題】照明装置が備える点灯装置の小型化及び低コスト化を図る。【解決手段】点灯装置が備えるマイコン２７は、プルスイッチ回路２３及びプル壁スイッチ回路２２の各出力を取り込む入力ポート２８が共用化されている。また、マイコン２７は、点灯モードを４種類に切替えるための切替信号を２ビットのディジタル信号として出力ポート２９、３０から出力することにより、ポート数の削減が図られている。これにより、Ｉ／Ｏ数６（８ｐｉｎ）の小型で安価なマイコン２７を搭載した点灯装置５を構成することができる。【選択図】　　　図３
2004039299.tif 000002
【特許請求の範囲】
【請求項１】
交流電源より給電されランプを付勢する点灯回路と；
前記交流電源と前記点灯回路との間に介在され、この点灯回路に電力を供給可能に接続された第１のスイッチと；
前記第１のスイッチと前記点灯回路との間に介在された第２のスイッチと；
前記第１のスイッチの開閉を検出してその開閉状態に対応した第１の開閉信号を出力する第１の検出回路と；
前記第２のスイッチの開閉を検出してその開閉状態に対応した第２の開閉信号を出力する第２の検出回路と；
前記第１及び第２の検出回路から各々出力される各開閉信号が加算されて入力される入力端子を備え、この入力端子から入力された信号を判別して前記ランプの照明状態を切換える点灯モード切替信号を生成するマイクロコンピュータと；
を具備することを特徴とする点灯装置。
【請求項２】
前記照明状態を４種類の点灯モードに切替可能となるように、前記マイクロコンピュータが、前記点灯モード切替信号を２ビットのディジタル信号として論理出力する第１及び第２の出力端子をさらに具備することを特徴とする請求項１記載の点灯装置。
【請求項３】
請求項１又は２記載の点灯装置と；
前記点灯装置により点灯される前記ランプが取り付けられた照明器具本体と；
を具備することを特徴とする照明装置。
【発明の詳細な説明】
【０００１】
【発明の属する技術分野】本発明は、例えばスイッチ開閉操作によってランプの点灯状態を切り換えることができる点灯装置及び照明装置に関する。
【０００２】
【従来の技術】従来、照明装置としては、常夜灯である豆球と段階的に明るさを調光可能な主照明ランプとを備え、全光点灯、調光点灯、豆球点灯、消灯といった４種類の点灯モード（照明状態）を切替可能な装置が知られている。
【０００３】
すなわち、図５、図６に示すように、従来の照明装置が備える点灯装置５１には、商用交流電源Ｖｓより給電され蛍光ランプ５７び豆球５８を付勢する照明点灯回路６３、６４を有する点灯器６５及び豆球点灯器（豆球ＯＮ／ＯＦＦ）６６と、蛍光ランプ５７及び豆球５８による照明状態、つまり点灯モードを切り替える蛍光ランプＯＮ／ＯＦＦ回路６８、及び蛍光ランプ全光／調光回路６９を有する点灯モード切替回路と、商用交流電源Ｖｓより点灯器６５及び豆球点灯器６６に給電を行うための制御部電源回路７１と、壁スイッチの開閉状態を検出してその開閉状態に対応した信号を出力するプル壁スイッチ回路７２と、プルスイッチの開閉状態を検出してその開閉状態に対応した信号を出力するプルスイッチ回路７３と、リモコン装置からの操作信号を受信するリモコン信号受信回路７４と、リモコン信号受信回路７４にて上記操作信号が受信された場合に受信音を発生させるためのリモコン受信音回路７５と、複数の点灯装置に対してのリモート操作を切替えるためのリモコンチャンネルスイッチ回路７６と、上記各回路との間で信号を入出力し各回路を統括的に制御するマイクロコンピュータ（以下「マイコン」と称する）７７とが搭載されている。
【０００４】
上記制御部電源回路７１は、ダイオードＤ４、Ｄ５、Ｄ６、Ｄ７からなるブリッジ回路、ツェナダイオードＤ２、Ｄ３、コンデンサＣ１、Ｃ２、Ｃ３、Ｃ４、抵抗Ｒ７、Ｒ８、Ｒ９、Ｒ１０、Ｒ１１、及びトランジスタＱ３を備えている。プル壁スイッチ回路７２は、制御部電源回路２１から出力される電源全波整流波形に同期したゼロクロス信号を生成することが可能であって、ダイオードＤ８、コンデンサＣ５、Ｃ６、抵抗Ｒ１３、Ｒ１４、Ｒ１５、Ｒ１６、Ｒ１７、及びトランジスタＱ４を備えている。
【０００５】
蛍光ランプＯＮ／ＯＦＦ回路６８は、抵抗Ｒ１、Ｒ３、Ｒ５、及びトランジスタＱ１を備えている。蛍光ランプ全光／調光回路６９は、抵抗Ｒ２、Ｒ４、Ｒ６、トランジスタＱ２を備えている。マイコン７７は、ＣＰＵ，ＲＯＭ，ＲＡＭ等から構成され、ＲＯＭにプログラム、ＲＡＭに各種データを記憶している。マイコン７７は、これらプログラム，各種データに基づいて、各入力ポートから入力されるデータをＣＰＵで演算処理し、その演算結果を、蛍光ランプＯＮ／ＯＦＦ回路６８、蛍光ランプ全光／調光回路６９、豆球点灯器（豆球ＯＮ／ＯＦＦ）６６へ出力する。
【０００６】
【発明が解決しようとする課題】しかしながら、このような点灯装置では、低コスト化や小型化が絶えず求めれており、この点を考慮した新たな点灯装置を開発することへの要請が高まっている。
しかしながら、このように構成された従来の点灯装置５１では、壁スイッチによる瞬時開閉操作又はプルスイッチの開閉操作により４種類の照明状態をつくりだす必要があるため、図６に示すように、少なくともプル壁スイッチ回路７２及びプルスイッチ回路７３の出力信号が各々入力される２つの入力ポート５２、５３がマイコン７７に設けられていた。さらに、従来の点灯装置５１では、入力ポート５２、５３からの入力信号に基づいて、マイコン７７のスイッチＳＷ１、２、３を各々切替えつつ照明の点灯モードを切り替えるための切替信号を出力する３つの出力ポート５４、５５、５６が設けられているものであった。
【０００７】
そこで本発明は、上記課題を解決するためになされたもので、装置の小型化及び低コスト化を図ることができる点灯装置及び照明装置を提供することを目的とする。
【０００８】
【課題を解決するための手段】上記目的を達成するために、本発明に係る点灯装置は、交流電源より給電されランプを付勢する点灯回路と；前記交流電源と前記点灯回路との間に介在され、この点灯回路に電力を供給可能に接続された第１のスイッチと；前記第１のスイッチと前記点灯回路との間に介在された第２のスイッチと；前記第１のスイッチの開閉を検出してその開閉状態に対応した第１の開閉信号を出力する第１の検出回路と；前記第２のスイッチの開閉を検出してその開閉状態に対応した第２の開閉信号を出力する第２の検出回路と；前記第１及び第２の検出回路から各々出力される各開閉信号が加算されて入力される入力端子を備え、この入力端子から入力された信号を判別して前記ランプの照明状態を切換える点灯モード切替信号を生成するマイクロコンピュータと；を具備することを特徴とする。
【０００９】
この発明及び以下の発明において、特に言及しない限り、用語の定義及び技術的意味は次のとおりとする。
点灯回路は、高周波点灯回路や、コアとコイルを用いた安定器などが例示され、特に限定されるものではない。
ランプは、白熱ランプ、低圧放電ランプ及び高圧放電ランプなどのいずれであってもよい。さらに、ランプは、主照明用のランプの他、常夜灯などの補助照明も包含する。
照明状態とは、例えば、主照明用のランプの全光、調光、主照明用のランプの消灯と同時の例えば常夜灯の点灯、常夜灯の消灯など、各種点灯モードのことである。
【００１０】
上記発明の点灯装置は、第１のスイッチ又は第２のスイッチを各々操作した場合の各開閉信号を単一の入力端子からマイクロコンピュータへ取り込むものである。すなわち、小型で安価なマイクロコンピュータを搭載することで、点灯装置の小型化及び低コスト化を図ることができる。
【００１１】
また、本発明の点灯装置は、前記照明状態を４種類の点灯モードに切替可能となるように、前記マイクロコンピュータが、前記点灯モード切替信号を２ビットのディジタル信号として論理出力する第１及び第２の出力端子をさらに具備することを特徴とする。
【００１２】
この発明の点灯装置は、点灯モードを４種類に切替えるための切替信号を、マイクロコンピュータが備えた２つの出力端子から、２ビットのディジタル信号として出力するようにしているので、上記マイクロコンピュータが小型で且つ安価となり、これにより装置の小型化及び低コスト化を図ることができる。
【００１３】
また、本発明の照明装置は、上記いずれかの点灯装置と；前記点灯装置により点灯される前記ランプが取り付けられた照明器具本体と；を具備することを特徴とする。
【００１４】
【発明の実施の形態】以下、本発明の実施の形態を図面に基づき説明する。
図１は、本発明の実施形態に係る照明装置を概略的に示す図、図２は、この照明装置を機能的に示すブロック図、図３は、図２の一部のブロックを回路構成で示す図である。
【００１５】
図１に示すように、この照明装置１では、天井２に取り付けられたシーリングソケット３によって照明器具本体４が吊持されている。照明器具本体４は、点灯装置５を内蔵しており、その点灯装置５は、壁に取り付けられた壁スイッチ６を介して商用交流電源Ｖｓに給電可能に接続されている。照明器具本体４内には、蛍光ランプ７及び豆球８が収容され、各々点灯装置５により付勢されている。また、照明器具本体４内には、引き紐１０が取り付けられたプルスイッチ１１が設けられている。また、この照明装置１は、リモコン装置１２を備えており、リモコン装置１２に設けられた各操作釦を操作することで、蛍光ランプ７及び豆球８の照明状態状を遠隔操作することができる。
【００１６】
また、図２、図３に示すように、点灯装置５には、商用交流電源Ｖｓより給電され蛍光ランプ７及び豆球８を付勢する点灯回路としての、照明点灯回路１３、１４を有する点灯器１５及び豆球点灯器１６と、蛍光ランプ７及び豆球８による照明状態、つまり点灯モードを切り替える豆球ＯＮ／ＯＦＦ回路１７、蛍光ランプＯＮ／ＯＦＦ回路１８、及び蛍光ランプ全光／調光回路１９を有する点灯モード切替回路２０と、商用交流電源Ｖｓより点灯器１５及び豆球点灯器１６に給電を行うための制御部電源回路２１と、壁スイッチ６の開閉状態を検出してその開閉状態に対応した信号を出力するプル壁スイッチ回路（ゼロクロス信号回路）２２と、プルスイッチ１１の開閉状態を検出してその開閉状態に対応した信号を出力するプルスイッチ回路２３と、リモコン装置１２からの操作信号を受信するリモコン信号受信回路２４と、リモコン信号受信回路２４にて上記操作信号が受信された場合に受信音を発生させるためのリモコン受信音回路２５と、複数の点灯装置に対してのリモート操作を切替えるためのリモコンチャンネルスイッチ回路２６と、上記各回路との間で信号を入出力し各回路を統括的に制御するマイコン２７とが搭載されている。
【００１７】
上記制御部電源回路２１は、ダイオードＤ４、Ｄ５、Ｄ６、Ｄ７からなるブリッジ回路、ツェナダイオードＤ２、Ｄ３、コンデンサＣ１、Ｃ２、Ｃ３、Ｃ４、抵抗Ｒ７、Ｒ８、Ｒ９、Ｒ１０、Ｒ１１、及びトランジスタＱ３を備えている。プル壁スイッチ回路２２は、制御部電源回路２１から出力される電源全波整流波形に同期したゼロクロス信号を生成することが可能であって、ダイオードＤ８、コンデンサＣ５、Ｃ６、抵抗Ｒ１３、Ｒ１４、Ｒ１５、Ｒ１６、Ｒ１７、及びトランジスタＱ４を備えている。
【００１８】
点灯モード切替回路２０は、ダイオードＤ１、Ｄ９、Ｄ１０、抵抗Ｒ１、Ｒ２、Ｒ３、Ｒ４、Ｒ５、Ｒ６、Ｒ１２、Ｒ１８、及びトランジスタＱ１、Ｑ２、Ｑ５を備えている。マイコン２７は、ＣＰＵ，ＲＯＭ，ＲＡＭ等から構成され、ＲＯＭにプログラム、ＲＡＭに各種データを記憶している。マイコン２７は、これらプログラム、各種データに基づいて、各入力ポートから入力されるデータをＣＰＵで演算処理し、その演算結果を点灯モード切替回路２０へ出力する。
【００１９】
ここで、点灯装置５の点灯モードの切り替え動作について概略的に説明する。例えば蛍光ランプ７が全光点灯している状態で、壁スイッチ６を瞬時開閉操作して商用交流電源Ｖｓと後段の回路を例えば１．５秒以下で瞬時遮断すると、蛍光ランプ７が調光点灯となる。続いて、瞬時遮断すると蛍光ランプ７が消灯されると共に豆球８が点灯する。さらに、瞬時遮断を行うと豆球８が消灯し、続いて、瞬時遮断を行うと蛍光ランプ７が再び全光点灯する。このように、壁スイッチ６を瞬時遮断させる度に、蛍光ランプ７及び豆球８の点灯状態は順次切り替わる。蛍光ランプ７及び豆球８を完全に消灯する場合は、壁スイッチ６をオフ（開路）する。なお、プルスイッチ１１を手動でオン／オフ（閉路／開路）することや、リモコン装置１２で操作釦を操作することによっても、上記照明状態（点灯モード）は、上記のように順次切り替わる。
【００２０】
次に、低コスト化を実現している本実施形態の点灯装置５（特にマイコン２７）の構成について説明する。
まず、プル壁スイッチ回路２２とプルスイッチ回路２３との各出力信号（開閉信号）の１ビット化について説明する。
プル壁スイッチ回路２２は、前述したように電源のゼロクロス検出回路であって、電源のＯＦＦを検出する。マイコン２７は、そのＯＦＦ時間によって、実質的に、プルス壁スイッチ回路２２に対応する制御か、プルスイッチ回路２３に対応する制御かを判別する。つまり、本実施形態では、図２、図３に示すように、引抜き回路（ＧＮＤラインとの間で操作時ショートとなるスイッチ）としてプルスイッチ回路２３（の出力部分）が、プルス壁スイッチ回路２２とマイコン２７（入力ポート２８）との間に接続されている。
【００２１】
すなわち、通常、電源が入っているときには、電源全波整流波形に同期したゼロクロス信号がマイコン２７に常に入力される。一方、電源ＯＦＦ時には、ゼロクロス信号が検出されず、マイコン２７には「Ｈ」信号が入力される。さらに、プルスイッチ１１の操作時には、ゼロクロス信号が引き抜かれてマイコン２７には「Ｌ」信号が入力される。マイコン２７は、プルス壁スイッチ回路２２の出力信号とプルスイッチ回路２３の出力信号とが加算され、入力ポート２８から入力される信号の「Ｈ」、「Ｌ」とそれらの出力時間とを常に監視しており、この結果に基づいて、蛍光ランプ７及び豆球８の照明状態を切換えるための点灯モード切替信号を生成する。この点灯モード切替信号は、スイッチＳＷ１、スイッチＳＷ２を介して出力ポート２９、３０からそれぞれ論理出力される２ビットのディジタル信号である。
【００２２】
次に、上記点灯モード切替信号に基づく点灯モードの切り替え制御について説明する。
すなわち、図４に示すように、マイコン２７のスイッチＳＷ１がＯＮ（出力「Ｌ」）のとき、トランジスタＱ１がＯＦＦとなり、点灯器１５の照明点灯回路（ＯＮ／ＯＦＦ）１３が、ＯＦＦ側に動作し蛍光ランプ７が消灯する。また、スイッチＳＷ１がＯＦＦ（出力「Ｈ」）のとき、トランジスタＱ１がＯＮし、点灯器１５の照明点灯回路（ＯＮ／ＯＦＦ）１３が、ＯＮ側に動作して蛍光ランプ７が点灯する。ここで、スイッチＳＷ２がＯＮ（出力「Ｌ」）のとき、トランジスタＱ２がＯＦＦとなり、点灯器１５の照明点灯回路（全光／調光）１４が、全光側に動作して蛍光ランプ７が全光となる。一方、スイッチＳＷ２が、ＯＦＦ（出力「Ｈ」）のとき、トランジスタＱ２がＯＮとなり、点灯器１５の照明点灯回路（全光／調光）１４が、蛍光ランプ７が調光となる。
【００２３】
豆球８については、電源が入った状態では、プル壁スイッチ回路（ゼロクロス検出回路）２２を通じてゼロクロス信号が、ダイオードＤ１０を経て（豆球ＯＮ／ＯＦＦ）１６に供給され豆球８が点灯する。一方、前述した全光、調光の場合には、スイッチＳＷ１がＯＦＦ（出力「Ｈ」）のため、ダイオードＤ１経由でトランジスタＱ５がＯＮし、豆球点灯信号であるゼロクロス信号が引き抜かれて豆球８が消灯（ＯＦＦ）となる。
【００２４】
ここで、蛍光ランプ７が、ＯＦＦのとき、スイッチＳＷ１がＯＮ（出力「Ｌ」）のため、この信号では、トランジスタＱ５がＯＮすることはない。さらに、蛍光ランプ７が、ＯＦＦのときには、スイッチＳＷ２のＯＮ／ＯＦＦにより、トランジスタＱ５のＯＮ／ＯＦＦを切替え、豆球８をＯＮするかＯＦＦするかを制御する。スイッチＳＷ２がＯＦＦ（出力「Ｈ」）のとき、ダイオードＤ９経由で、トランジスタＱ５がＯＮとなり、ゼロクロス信号が引き抜かれて豆球８が消灯する。スイッチＳＷ２がＯＮ（出力「Ｌ」）のとき、トランジスタＱ５がＯＦＦとなりゼロクロス信号が供給されて豆球８が点灯する。
【００２５】
したがって、このように構成された本実施形態の照明装置１では、プルスイッチ回路２３又はプル壁スイッチ回路２２の出力を取り込むマイコン２７の入力ポート（入力端子）を共用（兼用）化し、従来装置（図５、図６参照）に比べて、入力ポートが１つ削減されている。また、本実施形態の照明装置１では、点灯モードを４種類に切替えるための点灯モード切替信号を２ビットのディジタル信号としてマイコン２７から出力することで、従来装置に比べて、出力ポート（出力端子）が１つ削減（３端子から２端子に削減）されている。これにより、本実施形態では、Ｉ／Ｏ数６（８ｐｉｎ）の小型で安価なマイコン２７を搭載した点灯装置５を構成することができる。なお、マイコン２７は、小型化が図られていることから、配線の引き回しが短くなりマイコン自体の耐ノイズ特性が向上している。
【００２６】
以上、本発明を実施の形態により具体的に説明したが、本発明は前記実施形態にのみ限定されるものではなく、その要旨を逸脱しない範囲で種々変更可能である。例えば、プルスイッチ回路２３とプル壁スイッチ回路２２との各出力信号を１つの入力端子から取り込むように、マイコン２７を含む点灯装置５が構成されていたが、これに代えて、プル壁スイッチ回路２２とリモコン信号受信回路２４との各出力信号を１つの入力端子から取り込むように点灯装置５を構成してもよい。
【００２７】
【発明の効果】以上説明したように、本発明によれば、第１のスイッチ又は第２のスイッチを各々操作した場合の各開閉信号を単一の入力端子からマイクロコンピュータへ取り込むので、このマイクロコンピュータを搭載した小型で安価な点灯装置を提供することができる。また、本発明によれば、点灯モードを４種類に切替えるための切替信号を、マイクロコンピュータが備えた２つの出力端子から、２ビットのディジタル信号として出力するようにしているので、上記マイクロコンピュータが小型で且つ安価となり、これにより装置の小型化及び低コスト化を図ることができる。
【図面の簡単な説明】
【図１】本発明の実施形態に係る照明装置を概略的に示す図である。
【図２】図１の照明装置を機能的に示すブロック図である。
【図３】図２のブロックの一部を回路構成で示す図である。
【図４】図１の照明装置による照明状態の切替を説明するための図である。
【図５】従来の照明装置を機能的に示すブロック図である。
【図６】図５のブロックの一部を回路構成で示す図である。
【符号の説明】
１…照明装置、５…点灯装置、６…壁スイッチ、７…蛍光ランプ７、８…豆球、１１…プルスイッチ、１５…点灯器、１６…豆球点灯器、２０…点灯モード切替回路、２２…プル壁スイッチ回路（ゼロクロス信号回路）、プルスイッチ回路２３、２７…マイクロコンピュータ、２８…入力ポート、２９、３０…出力ポート。
【図１】
2004039299.tif 000003
【図２】
2004039299.tif 000004
【図３】
2004039299.tif 000005
【図４】
2004039299.tif 000006
【図５】
2004039299.tif 000007
【図６】
2004039299.tif 000008